(57)【要約】【課題】多数の光アダプタを、光伝送装置のパネル面から傾斜させて、簡易な構造で高密度に実装する。【解決手段】前後並行して配置した２つの板部品のそれぞれに開口部を設け、光アダプタを、前部から後部の板部品の開口部に貫通させて保持する光アダプタにおいて、前後部の板部品の開口部を互いにずらして配置することにより、板部品に対して傾斜させて光アダプタを保持固定する。【選択図】  図５
2008233347.tif 000002
【特許請求の範囲】
【請求項１】
アダプタを固定するアダプタ固定構造であって、
前部支持穴を有する前面板部と、
前記前面板部と平行に配置され、前記前部支持穴からの貫通軸が前記前面板部に鉛直方向から傾斜する位置に後部支持穴を有する背面板部と、を有し、
前記アダプタを、前記前部支持穴から前記後部支持穴へ前記貫通軸に沿って嵌挿し、前記前面板部に鉛直方向から傾斜して保持固定することを特徴とするアダプタ固定構造。
【請求項２】
前記アダプタは側壁に係止爪部を有し、前記係止爪部の少なくとも一部が前記前部支持穴に、前記係止爪部の少なくとも別の一部が前記後部支持穴に係合うことを特徴とする請求項１に記載のアダプタ固定構造。
【請求項３】
前記係止爪部は、前記アダプタの前記アダプタ固定部への取り付け時には押圧されて沈降し、固定時に突出して、前記前部支持穴と前記後部支持穴とに係合う弾性部材による機構を備えることを特徴とする、請求項２に記載のアダプタ固定構造。
【請求項４】
前記弾性部材による機構がバネによる機構であることを特徴とする請求項３に記載のアダプタ固定構造。
【請求項５】
前記背面板部は、前記背面板部の面方向に摺動し、前記アダプタを締着挟持することを特徴とする、請求項１に記載のアダプタ固定構造。
【請求項６】
請求項１乃至５のいずれかの記載のアダプタ固定構造を備えることを特徴とする電子機器。
【請求項７】
アダプタを固定するアダプタ固定方法であって、
前部支持穴を有する前面板部と後部支持穴を有する背面板部とを、平行かつ、前記前部支持穴から前記後部支持穴に至る貫通軸が前記前面板部に鉛直方向から傾斜する位置になるよう配置し、
前記アダプタを、前記前部支持穴から前記後部支持穴へ前記貫通軸に沿って嵌挿し、前記前面板部に鉛直方向から傾斜して保持固定することを特徴とするアダプタ固定方法。
【請求項８】
前記アダプタは側壁に係止爪部を有し、前記係止爪部の少なくとも一部が前記前部支持穴に、前記係止爪部の少なくとも別の一部が前記後部支持穴に係合うことを特徴とする請求項７に記載のアダプタ固定方法。
【請求項９】
前記係止爪部は、弾性部材の機構によって前記アダプタの前記アダプタ固定部への取り付け時には押圧されて沈降し、固定時に突出して、前記前部支持穴と前記後部支持穴とに係合うことを特徴とする、請求項８に記載のアダプタ固定方法。
【請求項１０】
前記弾性部材による機構がバネによる機構であることを特徴とする請求項９に記載のアダプタ固定方法。
【請求項１１】
前記背面板部は、前記背面板部の面方向に摺動し、前記アダプタを締着挟持することを特徴とする請求項８に記載のアダプタ固定方法。
【発明の詳細な説明】
【技術分野】
【０００１】
本発明は、アダプタ固定構造、及びこのアダプタ固定構造を備えた電子機器に関する。
【背景技術】
【０００２】
光伝送装置は光ファイバーにより、他の光通信機器と接続する。光ファイバーの接続には、一般に規格化されたコネクタ形状であるSC(Single Coupling／Subscriber Connector／Standard Connector)アダプタとSCプラグ、MU(Miniature Unit coupling)アダプタとMUプラグ、その他DS(Fiber optic connector for Digital System)、MPO(Multi-fiber Push-On)、LC(Lucent Connector／Local Connector)、FC(Ferrule Connector)アダプタ/プラグ等さまざまな規格・形状のコネクタが用いられる。
【０００３】
光伝送装置の設置・運用時に必要に応じて光コネクタ・プラグが抜き挿しされるため、これらの光アダプタは多くの場合、アクセス性の良い光伝送装置の装置前面パネル面に配置される。
【０００４】
個々の光アダプタの固定には、一般的に、図６、図８のようにアダプタのフランジをネジで固定する方法や、図７のように板の角穴にはめ込む方法を用いてパネルへ固定する方法が用いられる。図７のように角穴にはめ込む場合、ガタつきやすいため、しっかり固定するためネジで固定することが多い。但し、ネジを用いる場合、取り付け側にネジを切り、アダプタ取り付けの際にはネジ固定の作業が発生する。このネジ切り加工と、ネジ固定の作業は、アダプタの個数の増加に比例して増加する。
【０００５】
アダプタを装置前面パネルに対して斜めに実装することも多い(例えば、特許文献３参照)。これによりクローズドラックなど、閉じられた狭い空間に装置が配置された際に、装置に接続されるケーブル類の装置外面からの不要な突出を無くし、光ケーブルをラックの外部へ無理なく自然に取り回して誘導することが可能となる。さらに装置に面して位置した人（使用者）が、装置から射出される光を直視することを防止するメリットがある。
【０００６】
近年、光伝送装置において装置の小型化の市場ニーズはますます高まっている。装置、システムを如何に限られた物理スペースに搭載できるかが重要となる。それに伴って装置の小型化が進み、装置内部での電子部品実装の高密度化が進められている。光伝送装置の高密度化により、光伝送装置のインターフェース（ポート）も増加し、装置パネル面に多数の光アダプタを配置することが必要となる。即ち、アダプタの装置パネル面への高密度実装が必要となる。これらアダプタの装置パネル面への高密度実装のためには、実装ピッチを縮小することが必要となる(例えば、特許文献１、２参照)。
【０００７】
【特許文献１】特開2002-48946号公報
【特許文献２】特開平11-250977号公報
【特許文献３】特開平2-58004号公報
【発明の開示】
【発明が解決しようとする課題】
【０００８】
アダプタを高密度に、なおかつ、パネル面に斜めに実装するには、以下の問題がある。
【０００９】
図６、７、８に示した従来の方法においては、個々のアダプタは固定箇所の板面に垂直に挿入され固定される。そのためパネル面に対して斜めに複数のアダプタを実装するには、装置のパネル面に傾斜したアダプタの取り付け面が必要となる。即ち、装置のパネル面から傾斜した面を、取り付けるアダプタの数に応じて複数有するパネルが必要となる。具体的には、図１０のように板（パネル）を複雑に曲げ加工した部品や、図９のように複数の部品を用いることが必要となる。
【００１０】
加えて前述のように、アダプタそれぞれには、ネジ止め等の、ガタつきなくパネルに固定する構造が必要となる。
【００１１】
このような傾斜面を設けた複雑な構造のパネル部品に、個々のアダプタに対応した固定構造を組み込み、必要な強度を確保すると、結果としてアダプタ間のピッチが広くなり、実装密度が高まらないという問題がある。また取り付けるアダプタの個数に比例した部品数の増加や、組み立て時に、複雑な形状のパネルへの細かなネジ止め作業が発生するという問題もある。これらの問題はコスト増に直結する。
【００１２】
本発明は上記問題を鑑みて提案されるものである。
【００１３】
本発明の目的は、アダプタの取り付けの自由度が高く、構造が簡易で単純な機構を有し、アダプタ取り付けや組み立て作業が容易で低コストの、アダプタ取り付け構造、アダプタ取り付け方法と、アダプタ取り付け構造を有する電子機器を提供することにある。
【課題を解決するための手段】
【００１４】
本発明のアダプタを固定するアダプタ固定構造は、前部支持穴を有する前面板部と、前記前面板部と平行に配置され、前記前部支持穴からの貫通軸が前記前面板部に鉛直方向から傾斜する位置に後部支持穴を有する背面板部と、を有し、前記アダプタを、前記前部支持穴から前記後部支持穴へ前記貫通軸に沿って嵌挿し、前記前面板部に鉛直方向から傾斜して保持固定することを特徴とする。
【００１５】
本発明の電子機器は、本発明のアダプタ固定構造を備えることを特徴とする。
【００１６】
本発明のアダプタ固定方法は、前部支持穴を有する前面板部と後部支持穴を有する背面板部とを、平行かつ、前記前部支持穴から前記後部支持穴に至る貫通軸が前記前面板部に鉛直方向から傾斜する位置になるよう配置し、前記アダプタを、前記前部支持穴から前記後部支持穴へ前記貫通軸に沿って嵌挿し、前記前面板部に鉛直方向から傾斜して保持固定することを特徴とする。
【発明の効果】
【００１７】
以上、説明したように、本発明のアダプタを固定するアダプタ固定構造は、前部支持穴を有する前面板部と、前記前面板部と平行に配置され、前記前部支持穴からの貫通軸が前記前面板部に鉛直方向から傾斜する位置に後部支持穴を有する背面板部と、を有し、前記アダプタを、前記前部支持穴から前記後部支持穴へ前記貫通軸に沿って嵌挿し、前記前面板部に鉛直方向から傾斜して保持固定する。これにより、アダプタの取り付けの自由度が高く、構造が簡易で単純な機構を有し、アダプタ取り付けや組み立て作業が容易で低コストのアダプタ取り付け構造を実現する。
【００１８】
なぜならば、パネルと平行な面によって構成されるアダプタ固定構造により、アダプタ取り付け構造からアダプタ取り付け角度に対応した傾斜面と、傾斜面を構成する複雑な構造要素が排除されためである。
【発明を実施するための最良の形態】
【００１９】
以下、本発明の実施の形態について、図面を参照しながら詳細に説明する。
【００２０】
図１に本実施の形態の光伝送装置の例を示す。図1は、パネル面に配された光アダプタの取り付け構造を示すために、特に光伝送装置の１つのパッケージ（パッケージ１）を取り出して示している。図1は、２心のMUプラグ３に対応したMUアダプタ２の固定構造の例を示す。図２は、図1のパッケージ１反対面（裏面）を、図１の奥行き方向から示す図である。図1に示すように、本実施例では、多数のアダプタを、装置のパネルに傾斜させて、高密度に実装する。
【実施例１】
【００２１】
本実施の形態の、アダプタ取り付け構造の分解図を図３、４、５に示す。
【００２２】
図３はアダプタ取り付け構造の組み立て分解図であり、図４は組み立てられたアダプタ取り付け構造にアダプタが組み込まれる状態を示す図、図５は、図４上部からの矢視図である（図４に示される矢視Ａに対応する）。
【００２３】
図３に示すように、本実施例のアダプタ固定構造の中心はアダプタを固定するための、２つの板金部品４、５で構成される。２つの板金部品４、５は図１における装置のパネル部分に対応する。
【００２４】
板金部品４、５のそれぞれには、複数の開口部（アダプタの支持穴）が設けられている。この開口部は、本実施例では２芯のMUアダプタに対応した角穴形状となっている。この角穴が、板金部品４、５のそれぞれに複数設けられているため、結果として、板金部品４、５は格子形状、あるいはスリット形状となっている。
【００２５】
２つの板金部品４、５は、図３の右図のように組み立てられる。組み立てられると、図５に示すように、それぞれの開口部は、互いにずれた位置となる。即ち、板金部品４、５の正面垂直方向から見ると、板金部品４の開口部と、その後方に近接して対応する板金部品５の開口部とが、一致せずに、ずれた位置関係となる。
【００２６】
その結果、図４に示すように、板金部品４の開口部と、それに対応する板金部品５の開口部に貫通するようにアダプタ６を挿入すると、アダプタ６は板金部品４及び板金部品５に傾斜した角度で固定される。
【００２７】
アダプタ６は、例えば図５に示されるように、側壁部に係り止め構造７を有している。この係り止め構造７は、バネ構造となっており、アダプタ６が開口部にはめ込まれる時には押し込まれ、はめ込まれた後は隆起して、板金部品４、５それぞれの内面にバネ先端が係り合って、アダプタ６が固定状態から容易に抜けない構造となっている。
【００２８】
板金部品５は、アダプタ６の取り付け時には、板金部品４に対してズレを緩くして遊びを持たせておき、アダプタ６の取り付け後に移動させて、アダプタ６を、より強固に固定しても良い。即ち、アダプタ６の取り付け後に、図５にスライドと示される矢印のように、板金部品４を点線位置から移動して、取り付けられたアダプタ６を、より一層締め付けて矜持した状態で、ネジ８により板金部品４を固定しても良い。これにより、取り付けの際は適度な遊びにより、アダプタの取り付けを容易とし、取り付け後の固定時は遊びが取り除かれてアダプタ６を強固に固定することが可能となる。
【００２９】
以上のように、本実施例においては、前後板金部品の開口部（アダプタの支持穴）をずらして配置し、アダプタを固定する構造とすることで、傾斜面が含まれた複雑な構造無しに、アダプタを傾斜固定することが可能となる。
【００３０】
なお、本実施例においては２芯のMUアダプタを用いた例を示したが、アダプタは２芯でも単芯でも良い。さらにMUアダプタ以外の形状のアダプタでも良い。さらに本実施例では２芯一列の例を示したが、１芯1列でも良い。1芯、２芯を問わず、縦方向にさらに列を増やしても良い。対応するアダプタの形状、アダプタ配置や個数は、板金部品４、５に設ける開口部の形状、配置、個数により柔軟に対応することが可能である。
【００３１】
さらにアダプタ６の係り止め構造は、前述のバネ構造に限定されない。バネ構造においては、板ばね以外にも、例えばコイルバネを用いても良いし、その他の弾性体や弾性構造、例えばアダプタ６のハウジングと一体で（同じ材質を用いて）構造的に係り止めのための機構を設けても良い。
【００３２】
また本実施例においては、アダプタ６取り付け後に、板金部品４をスライドさせてアダプタ６を矜持固定する例を示した。しかしながら調整のための板金部品の移動方法は、これに限定されない。例えば、板金部品４の代りに板金部品５をスライドさせても良い。あるいは、板金部品４、５の両方をスライドさせる機構でも良い。前述の実施例においては、スライドさせる方向は、板金部品４の面に平行に移動する実施例を示したが、スライド方向や移動内容は、板金部品４、５の開口部の位置関係が変更され、結果としてアダプタ６の固定状態が調整されるものであれば良い。例えば、板金部品４と５の距離（間隔）を変更する移動や、上下左右、及び、それらの方向が任意に組み合わされた平行移動、板金部品４や５の回転移動、さらには、それらを組み合わせた移動でも良い。
【００３３】
また、前述の実施例においては、アダプタ６の取り付け作業の際に、もっぱらアダプタ６を締め付け固定するために板金部品４をスライドする例を示した。しかしながら、前述のような板金部品４、５の移動による調整を、固定されたアダプタ６の傾斜角度等を調整する機構としても良い。即ち、装置使用時に、板金部品４と５の開口部のずれ状態や位置関係を変更し、既に固定状態にあるアダプタ６のパネル面に対する傾斜角度や傾斜方向、或いはパネル表面（板金部品５）からのアダプタ６の突出や沈降度合い等を任意に変更・調整するための機構として用いても良い。
【００３４】
以上のように、本発明においては、多数のアダプタが斜め高密度に狭いピッチで実装される場合であっても、単純でシンプルな機構であり、アダプタのパネルへの取り付け方法が簡便で、機構に係る部品と取り付け作業が容易で低コストの、取り付けの自由度が高い構造の実現が可能となっている。
【図面の簡単な説明】
【００３５】
【図１】本発明の実施例１の形態における光伝送装置例を示す図
【図２】本発明の実施例１の形態における光伝送装置例を示す図
【図３】本発明の実施例１の形態におけるアダプタ取り付け構造の組み立て分解図
【図４】本発明の実施例１の形態におけるアダプタ取り付け構造の詳細図
【図５】本発明の実施例１の形態におけるアダプタ取り付け構造の上方詳細図
【図６】アダプタごとの取り付け・固定方法の従来例を示す図
【図７】アダプタごとの取り付け・固定方法の従来例を示す図
【図８】アダプタごとの取り付け・固定方法の従来例を示す図
【図９】傾斜させたアダプタ取り付け構造の従来例を示す図
【図１０】傾斜させたアダプタ取り付け構造の従来例を示す図
【符号の説明】
【００３６】
１ パッケージ
２ アダプタ
３ プラグ
４ 板金部品
５ 板金部品
６ アダプタ
７ 係り止め構造
８ ネジ
【図１】
2008233347.tif 000003
【図２】
2008233347.tif 000004
【図３】
2008233347.tif 000005
【図４】
2008233347.tif 000006
【図５】
2008233347.tif 000007
【図６】
2008233347.tif 000008
【図７】
2008233347.tif 000009
【図８】
2008233347.tif 000010
【図９】
2008233347.tif 000011
【図１０】
2008233347.tif 000012